(57)【要約】【課題】遠隔地から墓参りを行うに際し、ユーザは実際に墓まで行く必要が全くなく、ネットワークを介して実際の墓参りの代行を依頼することができるとともに、その墓参り代行が完了したことを確認可能とする遠隔墓参りシステムの提供。【解決手段】墓参り代行サービスの選択メニュを、インターネットＮを介して接続される会員ＰＣ５に対して提供する選択メニュ提供手段３１と、選択メニュにより選択された墓参り代行サービスについて受注する受注手段３２と、受注した墓参り代行サービスについての代金を決済する決済手段３３と、決済の完了後、受注した墓参り代行サービスを実行した旨をユーザのコンピュータに通知するサービス完了通知手段３７と、サービス完了通知手段３７による通知の後、墓参り代行サービスの実行を確認するためのユーザの墓の墓参り代行サービス実行後のリアルな映像をユーザのコンピュータに提供するリアル映像提供手段３８とを有する。【選択図】  図２
2005284676.tif 000002
【特許請求の範囲】
【請求項１】
墓参り代行サービスの選択メニュを、ネットワークを介して接続されるユーザのコンピュータに対して提供する手段と、
前記選択メニュにより選択された墓参り代行サービスについて受注する手段と、
前記受注した墓参り代行サービスについての代金を決済する手段と、
前記決済の完了後、前記受注した墓参り代行サービスを実行した旨を前記ユーザのコンピュータに通知するサービス完了通知手段と、
同サービス完了通知手段による通知の後、前記墓参り代行サービスの実行を確認するための前記ユーザの墓の前記墓参り代行サービス実行後のリアルな映像を前記ユーザのコンピュータに提供する手段と
を有する遠隔墓参りシステム。
【請求項２】
前記決済の完了後、前記受注した墓参り代行サービスの内容を墓参り代行サービス提供者のコンピュータに通知するサービス受注通知手段を備えた請求項１記載の遠隔墓参りシステム。
【請求項３】
前記決済が完了した旨を前記ユーザのコンピュータに通知する決済完了通知手段と、
前記決済の完了から前記墓参り代行サービスの実行までの間、前記墓参り代行サービスの受注を確認するための前記ユーザの墓の前記墓参り代行サービス実行後の状態を示すバーチャルな映像を前記ユーザのコンピュータに提供する手段と
を備えた請求項１または２に記載の遠隔墓参りシステム。
【請求項４】
前記ユーザのコンピュータへの通知は、予め登録された前記ユーザの電子メールアドレス宛てに電子メールを送信することにより行うことを特徴とする請求項１から３のいずれかに記載の遠隔墓参りシステム。
【請求項５】
前記電子メールは、前記映像を前記ユーザのコンピュータに提供するためのユーザ個別のＵＲＬを含むものである請求項１から４のいずれかに記載の遠隔墓参りシステム。
【請求項６】
前記ユーザのコンピュータに対して定期的に法要を通知する手段を備えた請求項１から５のいずれかに記載の遠隔墓参りシステム。
【請求項７】
前記選択メニュは、前記墓参り代行サービスとして生花上げ、榊上げ、線香上げ、墓清掃、経上げのいずれかを含むものである請求項１から６のいずれかに記載の遠隔墓参りシステム。
【請求項８】
サーバコンピュータを、
墓参り代行サービスの選択メニュを、ネットワークを介して接続されるユーザのコンピュータに対して提供する手段と、
前記選択メニュにより選択された墓参り代行サービスについて受注する手段と、
前記受注した墓参り代行サービスについての代金を決済する手段と、
前記決済の完了後、前記受注した墓参り代行サービスを実行した旨を前記ユーザのコンピュータに通知するサービス完了通知手段と、
同サービス完了通知手段による通知の後、前記墓参り代行サービスの実行を確認するための前記ユーザの墓の前記墓参り代行サービス実行後のリアルな映像を前記ユーザのコンピュータに提供する手段と
して機能させるための遠隔墓参りプログラム。
【請求項９】
前記サーバコンピュータを、前記決済の完了後、前記受注した墓参り代行サービスの内容を墓参り代行サービス提供者のコンピュータに通知するサービス受注通知手段として機能させるための請求項８記載の遠隔墓参りプログラム。
【請求項１０】
前記サーバコンピュータを、
前記決済が完了した旨を前記ユーザのコンピュータに通知する決済完了通知手段と、
前記決済の完了から前記墓参り代行サービスの実行までの間、前記墓参り代行サービスの受注を確認するための前記ユーザの墓の前記墓参り代行サービス実行後の状態を示すバーチャルな映像を前記ユーザのコンピュータに提供する手段と
して機能させるための請求項８または９に記載の遠隔墓参りプログラム。
【請求項１１】
前記ユーザのコンピュータへの通知は、予め登録された前記ユーザの電子メールアドレス宛てに電子メールを送信することにより行うことを特徴とする請求項８から１０のいずれかに記載の遠隔墓参りプログラム。
【請求項１２】
前記電子メールは、前記映像を前記ユーザのコンピュータに提供するためのユーザ個別のＵＲＬを含むものである請求項８から１１のいずれかに記載の遠隔墓参りプログラム。
【請求項１３】
前記サーバコンピュータを、前記ユーザのコンピュータに対して定期的に法要を通知する手段として機能させるための請求項８から１２のいずれかに記載の遠隔墓参りプログラム。
【請求項１４】
前記選択メニュは、前記墓参り代行サービスとして生花上げ、榊上げ、線香上げ、墓清掃、経上げのいずれかを含むものである請求項８から１３のいずれかに記載の遠隔墓参りプログラム。
【発明の詳細な説明】
【技術分野】
【０００１】
本発明は、遠隔地から墓参りを行うことが可能な遠隔墓参りシステムおよびプログラムに関する。
【背景技術】
【０００２】
在宅のまま墓参りを行うことを可能とし、離れた場所にある墓へのお参りを容易にするためのシステムとして、例えば特許文献１，２に記載の墓参りシステムが知られている。また、特許文献３には、実際には納骨堂に納骨を行い、納骨後の墓参りと同様な行為を季節や時刻に関係なく、画面上の映像で行うようにした納骨管理システムが記載されている。
【０００３】
特許文献１に記載の墓参りシステムでは、墓石の前にビデオカメラを配置しており、ホームページにアクセスしたユーザが、インターネットを介してこのビデオカメラのズーム倍率や撮像角度を遠隔操作できるようになっている。これにより、ユーザは、あたかも今現在、自分の眼前に墓石が存在しているかのような感覚を得ることができると記載されている。また、この墓参りシステムでは、墓石の前方に芳香微粒子放出器を備えて、ユーザは、ネットワークを介して、自分の好きなときに線香などの香りのする微粒子を墓の前に放出することができる。
【０００４】
特許文献２に記載の墓参りシステムでは、ユーザにインターネットを介して墓所の外観等の写真のみでなく、撮像カメラで録画された画像を配信することにより遠隔墓参りを行うことを可能としたうえ、遠隔墓参り時の供花等に関しては、事前に予約をしておけば、遠隔墓参り時の映像が要求した状態のものとなる。
【０００５】
特許文献３に記載の納骨管理システムでは、納骨施設の屋上などに設置された撮像装置により納骨施設周辺の景色の映像を撮影し、この映像をリアルタイムでユーザに配信する。また、お参りの際には、仏壇の内部と同様な祭祀画面を表示する。この祭祀画面の中には、故人の生前の顔写真、位牌、鐘、鐘を鳴らす棒、線香が立てられた線香立て、花が入れられた花立てとが配置され、線香からは煙が立っているように表示される。
【０００６】
【特許文献１】特開平１１−１１２９７１号公報（第４頁，第７頁、図１）
【特許文献２】特開２００１−３２５３８０号公報（第４頁）
【特許文献３】特開２００１−２９７１６１号公報（第４頁、図２，図４）
【発明の開示】
【発明が解決しようとする課題】
【０００７】
特許文献１に記載のシステムでは、ネットワークを介してユーザが自分自身で墓石の前のビデオカメラを遠隔操作し、線香などの香りのする微粒子を任意に墓前に放出することはできるが、これらは単に自分の眼前に墓石が存在しているかのような感覚を得られるに過ぎない。そのため、ビデオカメラにより墓石の様子を見て、墓石が汚れていたり、放出する芳香微粒子の元となる液体がなくなっていたりした場合には、自分で実際に墓まで行って清掃や液体の補充作業を行わなければならない。
【０００８】
特許文献２に記載のシステムでは、遠隔墓参時の供花等に関しては、遠隔墓参時に間に合うように事前に予約をしておかなければならない。また、予約をしても、遠隔墓参時には、その映像が要求した状態のものとなっているだけであり（特許文献２の段落番号００５３）、実際に墓前に供花等が行われているかどうかは不明である。
【０００９】
特許文献３に記載のシステムでは、納骨施設周辺の景色の映像がリアルタイムでユーザに配信される他はすべてバーチャルな祭祀画面だけでお参りを済ませるものであり、実際に墓石が存在するものではないので、遠隔地から実際の墓参りを行うものとは異なる。
【００１０】
本発明は、遠隔地から墓参りを行うに際し、ユーザは実際に墓まで行く必要が全くなく、ネットワークを介して実際の墓参りの代行を依頼することができるとともに、その墓参り代行が完了したことを確認可能とする遠隔墓参りシステムおよびプログラムを提供することを目的とする。
【課題を解決するための手段】
【００１１】
本発明の遠隔墓参りシステムは、墓参り代行サービスの選択メニュを、ネットワークを介して接続されるユーザのコンピュータに対して提供する手段と、選択メニュにより選択された墓参り代行サービスについて受注する手段と、受注した墓参り代行サービスについての代金を決済する手段と、決済の完了後、受注した墓参り代行サービスを実行した旨をユーザのコンピュータに通知するサービス完了通知手段と、サービス完了通知手段による通知の後、墓参り代行サービスの実行を確認するためのユーザの墓の墓参り代行サービス実行後のリアルな映像をユーザのコンピュータに提供する手段とを有する。
【００１２】
本発明の遠隔墓参りシステムによれば、ユーザがコンピュータによりネットワークを介して接続すると、このユーザのコンピュータに対し、墓参り代行サービスの選択メニュが提供される。ユーザがこの選択メニュの中から希望する墓参り代行サービスを選択すると、遠隔墓参りシステムはこの選択された墓参り代行サービスについて受注し、受注した墓参り代行サービスについての代金を決済処理する。この決済完了後、墓参り代行サービス提供者は受注した墓参り代行サービスを実行し、この墓参り代行サービス実行後、遠隔墓参りシステムは、受注した墓参り代行サービスを実行した旨をユーザのコンピュータに通知する。そして、遠隔墓参りシステムは、この通知の後、墓参り代行サービスの実行を確認するためのユーザの墓の墓参り代行サービス実行後のリアルな映像をユーザのコンピュータに提供する。ユーザは、この提供されるリアルな映像により、墓参り代行サービスの実行を確認することができる。
【００１３】
ここで、本発明の遠隔墓参りシステムは、決済の完了後、受注した墓参り代行サービスの内容を墓参り代行サービス提供者のコンピュータに通知するサービス受注通知手段を備えたものとすることが望ましい。これにより、ユーザのコンピュータにより墓参り代行サービスが選択され、決済が完了すると、墓参り代行サービス提供者のコンピュータに、受注した墓参り代行サービスの内容が通知されるので、墓参り代行サービス提供者はこの通知される内容に基づいてすぐさま墓参り代行サービスを実行することができる。
【００１４】
さらに、本発明の遠隔墓参りシステムは、決済が完了した旨をユーザのコンピュータに通知する決済完了通知手段と、決済の完了から墓参り代行サービスの実行までの間、墓参り代行サービスの受注を確認するためのユーザの墓の墓参り代行サービス実行後の状態を示すバーチャルな映像をユーザのコンピュータに提供する手段とを備えたものとすることが望ましい。これにより、ユーザのコンピュータにより墓参り代行サービスが選択され、決済が完了した後、墓参り代行サービスが実行されるまでの間、ユーザの墓の墓参り代行サービス実行後の状態を示すバーチャルな映像がユーザのコンピュータに提供される。
【００１５】
なお、ユーザのコンピュータへの通知は、決済後のユーザのコンピュータの画面上にメッセージを表示することも可能であるが、予め登録されたユーザの電子メールアドレス宛てに電子メールを送信することにより行うことが望ましい。決済後のユーザのコンピュータの画面上にメッセージを表示する場合には、この通知があるまでユーザはコンピュータを動作させたまま待つことになるが、電子メールによればユーザは自分の都合のいいときにいつでも電子メールを受信してこの通知を受け取ることができる。
【００１６】
ここで、電子メールは、映像をユーザのコンピュータに提供するためのユーザ個別のＵＲＬを含むものであることが望ましい。これにより、ユーザは、受信した電子メールに含まれるユーザ個別のＵＲＬに基づいて、上記ユーザの墓の墓参り代行サービス実行後の状態を示すバーチャルな映像や墓参りサービス実行後のリアルな映像を容易に取得することができる。
【００１７】
また、本発明の遠隔墓参りシステムでは、ユーザのコンピュータに対して定期的に法要を通知する手段を備えたものとすることが望ましい。これにより、ユーザのコンピュータに対して定期的に法要が通知されるので、ユーザはこの通知された法要に応じて本発明の遠隔墓参りシステムにより墓参りの代行の依頼を行うことができる。
【００１８】
上記本発明の遠隔墓参りシステムは、サーバコンピュータを上記各手段として機能させるための遠隔墓参りプログラムの実行により実現可能である。
【発明の効果】
【００１９】
（１）墓参り代行サービスの選択メニュを、ネットワークを介して接続されるユーザのコンピュータに対して提供する手段と、選択メニュにより選択された墓参り代行サービスについて受注する手段と、受注した墓参り代行サービスについての代金を決済する手段と、決済の完了後、受注した墓参り代行サービスを実行した旨をユーザのコンピュータに通知するサービス完了通知手段と、サービス完了通知手段による通知の後、墓参り代行サービスの実行を確認するためのユーザの墓の墓参り代行サービス実行後のリアルな映像をユーザのコンピュータに提供する手段とを有することにより、遠隔地から墓参りを行うに際し、ユーザは実際に墓まで行く必要が全くなく、ネットワークを介して実際の墓参りの代行を依頼することができる。また、墓参り代行サービス提供者による墓参り代行サービスの実行がなされた後、その旨がユーザのコンピュータに通知され、ユーザの墓の墓参り代行サービス実行後のリアルな映像が提供されるので、ユーザはその後すぐに墓参り代行が完了したことを確認することができる。
【００２０】
（２）決済の完了後、受注した墓参り代行サービスの内容を墓参り代行サービス提供者のコンピュータに通知するサービス受注通知手段を備えたことにより、墓参り代行サービス提供者は、決済完了後、この通知される内容に基づいてすぐさま墓参り代行サービスを実行することができる。これにより、ユーザによる墓参り代行サービスの依頼からこのサービスの実行までの時間を短縮することができ、ユーザはすぐに墓参り代行サービス実行後のリアルな映像を得ることができる。
【００２１】
（３）決済が完了した旨をユーザのコンピュータに通知する決済完了通知手段と、決済の完了から墓参り代行サービスの実行までの間、墓参り代行サービスの受注を確認するためのユーザの墓の墓参り代行サービス実行後のバーチャルな映像をユーザのコンピュータに提供する手段とを備えたことにより、決済の完了から墓参り代行サービスの実行までの間、ユーザの墓の墓参り代行サービス実行後の状態を示すバーチャルな映像がユーザのコンピュータに提供され、ユーザは、このバーチャルな映像により墓参り代行サービス実行後のイメージを把握することができる。また、ユーザは、このバーチャルな映像により選択した墓参り代行サービスの内容を確認することができるので、墓参り代行サービスの選択間違いや選択漏れが防止できる。
【００２２】
（４）ユーザのコンピュータへの通知は、予め登録されたユーザの電子メールアドレス宛てに電子メールを送信することにより行うことで、ユーザは自分の都合のいいときにいつでも電子メールを受信して、遠隔墓参りシステムからの通知を受け取ることができる。これにより、ユーザは、ネットワークを介して実際の墓参りの代行の依頼をした後は、自分の都合のいいときに、決済の完了の通知や墓参り代行サービスを実行した旨の通知等を受け取って、ユーザの墓の墓参り代行サービス実行後の状態を示すバーチャルな映像や墓参りサービス実行後のリアルな映像を確認することができる。
【００２３】
（５）電子メールが、映像をユーザのコンピュータに提供するためのユーザ個別のＵＲＬを含むことにより、ユーザは、受信した電子メールに含まれるユーザ個別のＵＲＬに基づいて、上記ユーザの墓の墓参り代行サービス実行後の状態を示すバーチャルな映像や墓参りサービス実行後のリアルな映像を容易に取得することができるので、より早くこれらの映像にアクセスすることが可能となる。
【００２４】
（６）ユーザのコンピュータに対して定期的に法要を通知する手段を備えることにより、ユーザのコンピュータに対して定期的に法要が通知されるので、一周忌、三回忌、七回忌、十三回忌、十七回忌、二十三回忌、三十三回忌、三十七回忌、五十回忌等の年忌法要のように、毎年ではなく定期的に行われる法要のタイミングを忘れることなく、ユーザはこの通知された法要に応じて本発明の遠隔墓参りシステムにより墓参りの代行の依頼を行うことが可能となる。
【発明を実施するための最良の形態】
【００２５】
図１は本発明の実施の形態における遠隔墓参りシステムの全体構成図、図２は図１の墓参り代行サービス制御部の詳細な構成を示すブロック図である。
【００２６】
図１において、本発明の実施の形態における遠隔墓参りシステムは、遠隔墓参りシステムの中心となるサーバコンピュータ（以下、「サーバ」と称す。）１と、各種データを記憶するデータベース（以下、「ＤＢ」と称す。）２と、ネットワークとしてのインターネットＮを介してサーバ１に接続された撮影装置としてのウェブカメラ３と、インターネットＮを介してサーバ１に接続可能な墓参り代行サービス提供者（本実施形態においてはサーバ１およびＤＢ２の管理者）のコンピュータ（以下、「管理者ＰＣ」と称す。）４とから構成される。また、サーバ１には、インターネットＮを介して、本実施形態における墓参り代行サービスのユーザとしての会員が使用するコンピュータ（以下、「会員ＰＣ」と称す。）５および会員以外に墓参りを行うゲストが使用するコンピュータ（以下、「ゲストＰＣ」と称す。）６により接続することができる。
【００２７】
サーバ１は、登録済みの会員に関するデータを管理する会員データ管理部１１と、新規に登録する会員に関するデータを登録する会員登録処理部１２と、各会員用の個別のホームページ（以下、「ＨＰ」と称す。）のデータの登録および更新を行う会員ＨＰデータ登録・更新処理部１３と、会員およびゲストの認証を行う会員・ゲスト認証部１４と、各会員用のＨＰを表示する会員ＨＰ表示部１５と、墓参り代行サービスに関する処理を行う墓参り代行サービス制御部１６とを有する。ＤＢ２は、会員に関するデータを記憶する会員データ記憶部２１と、ゲストに関するデータを記憶するゲストデータ記憶部２２と、各会員用のＨＰのデータを記憶する会員ＨＰデータ記憶部２３と、墓参り代行サービスに関するデータを記憶する墓参り代行サービスデータ記憶部２４とを有する。
【００２８】
会員データ管理部１１は、ＤＢ２の会員データ記憶部２１に記憶された登録済みの会員に関しての会員名、連絡先としての住所、電話番号、電子メールアドレス、墓に祀る故人の命日や、会員以外に墓参りを行うゲスト用のゲストＩＤおよびパスワード等のデータ（以下、「会員データ」と称す。）を、会員ＩＤおよびパスワードに基づいて管理する部分である。会員データ管理部１１は、管理者ＰＣ４からの要求に基づいて会員データを管理するためのウェブページを管理者ＰＣ４に提供し、管理者ＰＣ４によってこのウェブページから送信されたデータに基づいてＤＢ２の会員データ記憶部２１に記憶された会員データを管理する。ＤＢ２のゲストデータ記憶部２２には、ゲストの氏名や、連絡先としての住所、電話番号、電子メールアドレス等を記憶する。
【００２９】
会員登録処理部１２は、ＤＢ２の会員データ記憶部２１にまだ記憶されていない新規の会員に関する会員データの登録処理を行う部分である。会員登録処理部１２は、新規の会員の会員データを登録するためのウェブページを管理者ＰＣ４に提供し、管理者ＰＣ４によってこのウェブページから送信されたデータに基づいてＤＢ２の会員データ記憶部２１に会員データを登録する。
【００３０】
会員ＨＰデータ登録・更新処理部１３は、ＤＢ２の会員ＨＰデータ記憶部２３に対する各会員用のホームページを構成する墓の写真、墓参りの写真、家紋、家系図、故人の写真、故人の経歴、故人の声等のデータ（以下、「ＨＰデータ」と称す。）の登録および更新を行う部分である。会員ＨＰデータ登録・更新処理部１３は、管理者ＰＣ４からの要求に基づいてＨＰデータを登録・更新するためのウェブページを管理者ＰＣ４に提供し、管理者ＰＣ４によってこのウェブページから送信されたデータに基づいてＤＢ２の会員ＨＰデータ記憶部２３に記憶されたＨＰデータを管理する。
【００３１】
会員・ゲスト認証部１４は、ＤＢ２の会員データ記憶部２１に記憶された会員ＩＤおよびパスワード、またはゲストＩＤおよびパスワードにより会員およびゲストの認証を行う部分である。会員・ゲスト認証部１４は、会員ＰＣ５またはゲストＰＣ６からの要求に基づいて各会員のＨＰにログインするためのウェブページを会員ＰＣ５またはゲストＰＣ６に提供し、会員ＰＣ５またはゲストＰＣ６によってこのウェブページから送信されたデータに基づいて、会員またはゲストの認証を行う。
【００３２】
会員ＨＰ表示部１５は、各会員用のＨＰを表示する部分である。会員ＨＰ表示部１５は、会員・ゲスト認証部１４により認証済みの会員ＰＣ５およびゲストＰＣ６に対し、各会員用のＨＰのデータをＤＢ２の会員ＨＰデータ記憶部２３から取得して提供することにより、会員ＰＣ５およびゲストＰＣ６上に各会員用のＨＰを表示する。なお、会員ＨＰ表示部１５は、ゲストＰＣ６に対しては、ＨＰのデータの一部に対してアクセス制限を行う構成とすることも可能である。
【００３３】
図２に示すように、墓参り代行サービス制御部１６は、墓参り代行サービスに関する各種処理を行うための選択メニュ提供手段３１、受注手段３２、決済手段３３、決済完了通知手段３４、サービス受注通知手段３５、バーチャル映像提供手段３６、サービス完了通知手段３７、リアル映像提供手段３８、および法要通知手段３９を有する。
【００３４】
選択メニュ提供手段３１は、墓参り代行サービスの選択メニュを会員ＰＣ５に対して提供し、各会員のＨＰ上に表示するものである。選択メニュには、墓参り代行サービスとして生花上げ、榊上げ、線香上げ、墓清掃、経上げ等の項目が含まれる。会員ＰＣ５では、この選択メニュにより所望の墓参り代行サービスを選択し、墓参りの代行を依頼することができる。会員ＰＣ５により選択された内容は、会員ＰＣ５からサーバ１へと送信される。
【００３５】
受注手段３２は、選択メニュにより選択された墓参り代行サービスについて受注処理を行うものである。ここで行う受注処理は、受注内容の確認、請求先の指定および確認、支払い方法の選択および確認等である。この受注処理は、サーバ１によって会員ＰＣ５に提供するウェブページを介して、サーバ１と会員ＰＣ５との間で送受信されるデータに基づいて行われる。
【００３６】
決済手段３３は、受注した墓参り代行サービスについての代金をクレジットカードや電子マネー等により即時決済するものである。なお、決済処理は、サーバ１によって会員ＰＣ５に提供するウェブページを介して、サーバ１と会員ＰＣ５との間で送受信されるデータに基づいてサーバ１上ですべてを行う構成とすることも可能であるが、外部の決済機関を介して実際の決済処理を行う構成とすることも可能である。要するに、決済手段３３は、決済が正常に完了したことを判別できればよい。
【００３７】
決済完了通知手段３４は、決済手段３３の判別に基づいて決済が完了した旨を会員ＰＣ５に通知するものである。この通知は、サーバ１によって会員ＰＣ５に提供するウェブページを介して行うか、あるいは、予めＤＢ２の会員データ記憶部２に登録された会員の電子メールアドレス宛てに電子メールを送信することにより行う。なお、この電子メールには、後述するバーチャル映像提供手段３６によりバーチャルな映像を会員ＰＣ５に提供するための会員個別のＵＲＬ（Uniform Resource Locator）を含む。
【００３８】
サービス受注通知手段３５は、決済の完了後、受注した墓参り代行サービスの内容を管理者ＰＣ６に通知するものである。この通知は、サーバ１によって管理者ＰＣ５に提供するウェブページを介して行うか、あるいは、予めＤＢ２に登録された管理者の電子メールアドレス宛てに電子メールを送信することにより行う。
【００３９】
バーチャル映像提供手段３６は、決済の完了から墓参り代行サービスの実行までの間、墓参り代行サービスの受注を確認するための会員の墓の墓参り代行サービス実行後の状態を示すバーチャルな映像を会員ＰＣ５に提供するものである。なお、ここで会員ＰＣ５に提供する墓参り代行サービス実行後の状態を示すバーチャルな映像は、予め作成され、ＤＢ２の会員ＨＰデータ記憶部２３に記憶されたものである。
【００４０】
サービス完了通知手段３７は、決済が完了して、受注した墓参り代行サービスを実行した後、受注した墓参り代行サービスを実行した旨を会員ＰＣ５に通知するものである。この通知は、サーバ１によって会員ＰＣ５に提供するウェブページを介して行うか、あるいは、予めＤＢ２の会員データ記憶部２に登録された会員の電子メールアドレス宛てに電子メールを送信することにより行う。なお、この電子メールには、後述するリアル映像提供手段３６によりリアルな映像を会員ＰＣ５に提供するための会員個別のＵＲＬを含む。
【００４１】
リアル映像提供手段３８は、サービス完了通知手段３７による通知の後、墓参り代行サービスの実行を確認するための会員の墓の墓参り代行サービス実行後のリアルな映像を会員ＰＣ５に提供するものである。リアル映像提供手段３８が提供するリアルな映像は、ウェブカメラ３によって撮影された実際の会員の墓前の映像である。
【００４２】
法要通知手段３９は、会員ＰＣ５に対して定期的に法要を通知するものである。法要通知手段３９は、ＤＢ２の会員データ記憶部２１に記憶された故人の命日に関するデータに基づいて、一周忌、三回忌、七回忌、十三回忌、十七回忌、二十三回忌、三十三回忌、三十七回忌、五十回忌等の年忌法要等の法要を定期的に通知する。この通知は、サーバ１によって会員ＰＣ５に提供するウェブページを介して行うか、あるいは、予めＤＢ２の会員データ記憶部２に登録された会員の電子メールアドレス宛てに電子メールを送信することにより行う。
【００４３】
なお、上記の各部１１〜１６および各手段３１〜３９は、サーバ１上で遠隔墓参りプログラムを実行することにより実現される。なお、上記説明では、各手段３１〜３９は、会員ＰＣ５との間で行われる処理についてのみ説明しているが、ゲストＰＣ６との間でも同様の処理が行われるものとする。
【００４４】
上記構成の遠隔墓参りシステムによる処理について、以下に説明する。
【００４５】
図３は会員情報登録・更新、ＨＰデータ登録・更新のフロー図である。
図３において、まず管理者ＰＣ４によりサーバ１に接続し、管理者ＩＤおよびパスワードを入力（Ｓ１０１）して認証を行い（Ｓ１０２）、認証がＯＫであれば、サーバ１は、会員情報の新たな登録か、既会員の会員情報の更新かを判断する（Ｓ１０３）。
【００４６】
新規会員の登録の場合、サーバ１は管理者ＰＣ４とデータの送受信を行い、会員登録処理部１２によりＤＢ２の会員データ記憶部２１への会員基本情報（会員データ）の登録を行い（Ｓ１０４）、管理者ＰＣ４に対して会員ＩＤおよびパスワードと、ゲストＩＤおよびパスワードを発行する（Ｓ１０５）。その後、サーバ１は管理者ＰＣ４とデータの送受信を行い、会員ＨＰデータ登録・更新処理部１３によりＤＢ２の会員ＨＰデータ記憶部２３への会員用のＨＰ掲載データの登録を行う（Ｓ１０６）。
【００４７】
一方、既会員の会員情報の更新の場合、サーバ１は、会員基本情報の更新か、ＨＰの更新かを判断し（Ｓ１０７）、会員基本情報の更新の場合には、サーバ１は管理者ＰＣ４とデータの送受信を行い、ＤＢ２の会員データ記憶部２２の会員基本情報の更新を行う（Ｓ１０８）。ＨＰの更新の場合には、サーバ１は管理者ＰＣ４とデータの送受信を行い、ＤＢ２の会員ＨＰデータ記憶部２３の会員用のＨＰ掲載データの更新を行う（Ｓ１０９）。
【００４８】
図４は会員ＨＰ閲覧のフロー図である。
図４において、まず会員ＰＣ５またはゲストＰＣ６により会員ＩＤおよびパスワードまたはゲストＩＤおよびパスワードを入力（Ｓ２０１）して認証を行う（Ｓ２０２）。図８はサーバ１によって会員ＰＣ５またはゲストＰＣ６に提供されるログインのウェブページの例である。サーバ１は、図８に示すログインのウェブページを会員・ゲスト認証部１４により会員ＰＣ５またはゲストＰＣ６に提供し、認証を行う。
【００４９】
認証ＯＫの場合、サーバ１は、ログインしたユーザが墓参り代行をすでに依頼した者であるかどうか判断し（Ｓ２０３）、墓参り代行依頼者でない場合、会員ＩＤまたはゲストＩＤにより、このユーザが会員かゲストかを判断する（Ｓ２０４）。このユーザが会員の場合、サーバ１は、会員ＨＰ表示部１５により会員ＰＣ５に対して会員用のＨＰを提供する（Ｓ２０５）。図９は会員用ＨＰの例を示している。ユーザが会員の場合、ＨＰのデータはすべて提供される。
【００５０】
一方、ユーザがゲストの場合、サーバ１は、ゲストＰＣ６に対して記帳（氏名、住所等の入力）を要求し、この要求に対してゲストＰＣ６により入力され、送信されたこの記帳に関するデータをＤＢ２のゲストデータ記憶部２２に記憶する（Ｓ２０６）。そして、サーバ１は、会員ＨＰ表示部１５により会員ＰＣ５に対して会員用のＨＰを提供する（Ｓ２０７）。ユーザがゲストの場合、ＨＰのデータは一部制限されて提供される。なお、本例では、ゲストには家系図が提供されるゲスト１と家系図が提供されないゲスト２との２種類設定されている。
【００５１】
上記ステップＳ２０５またはＳ２０６の処理により表示された図９に示す会員用ＨＰの中で「お墓参りへ」を選択すると、サーバ１の墓参り代行サービス制御部１６による処理が開始される。
【００５２】
図５は墓参り代行サービスの利用者側からみたフロー図である。
墓参り代行サービス処理が開始されると、まずサーバ１は会員ＰＣ５（ゲストＰＣ６についても同様。以下同じ。）に対し、図１０に示すような会員用のＨＰを提供する。このＨＰには、ウェブカメラ３で撮影された会員の墓の現在の状況が表示されている。会員は、この表示に基づいて墓参り代行サービスを利用するかどうかを判断する（Ｓ３０１）。サーバ１は会員ＰＣ５に図１１に示すような会員用のＨＰを提供し、会員は図１１に示す会員用ＨＰの「サービス利用」を選択するか、しないかによって墓参り代行サービスを利用する・しないを指定できる（Ｓ３０２）。
【００５３】
図１１の「サービス利用」が選択された場合、サーバ１は図１２に示すウェブページを会員ＰＣ５に提供し、決済用の登録されたアカウントがあるかないかを選択させる。登録されたアカウントがある場合、会員は、会員ＰＣ５により電子メールアドレスとパスワードを入力し、サーバ１へ送信する（Ｓ３０４）。ここで、サーバ１は、会員・ゲスト認証部１４によりＤＢ２の会員データ記憶部２１を参照し、会員ＰＣ５から送信された電子メールアドレスとパスワードにより認証する（Ｓ３０５）。
【００５４】
一方、アカウントがない場合（ゲストの場合）、アカウント取得のための氏名、住所、電話番号、電子メールアドレス等の個人情報の入力（この場合はゲストＰＣ６による）を行い、サーバ１へ送信する（Ｓ３０６）。サーバ１は、この送信された情報のチェックを行い（Ｓ３０７）、ＯＫであれば次のステップ（Ｓ３０８）へと移る。
【００５５】
ステップＳ３０５において認証ＯＫまたはステップＳ３０７においてチェックＯＫの場合、サーバ１は選択メニュ提供手段３１により図１３に示す選択メニュのウェブページを会員ＰＣ５に提供し、受注手段３２による受注処理を行う（Ｓ３０８）。受注手段３２は、受注内容等を図１４に示すような確認のウェブページを会員ＰＣ５へと提供する。会員ＰＣ５により図１４の「注文する」が選択されると、サーバ１は決済手段３３により決済を行う（Ｓ３０９）。
【００５６】
決済が完了すると、サーバ１は、決済完了通知手段３４により図１５に示す決済完了を通知するためのウェブページを会員ＰＣ５へ提供する（Ｓ３０９）とともに、サービス受注通知手段３５によりその詳細な注文内容を示す電子メールを自動的に送信する（Ｓ３１０）。そして、サーバ１は、この決済の完了から後述の墓参り代行サービスの実行までの間、その注文内容に応じてバーチャル映像提供手段３６により、図１６に示すような会員の墓の墓参り代行サービス実行後の状態を示すバーチャルな映像を会員ＰＣ５に提供する。
【００５７】
図６は墓参り代行サービスの提供者側からみたフロー図である。
図５のステップＳ３１０においてサービス受注通知手段３５により送信された注文の電子メールは、管理者ＰＣ４により受信される（Ｓ４０１）。図１７はこの注文の電子メールの例を示している。この電子メールの内容に基づいて墓参り代行サービスの提供者は注文内容を代行する（Ｓ４０２）。
【００５８】
代行を完了すると、墓参り代行サービスの提供者は、図１８に示す代行完了メール送信のためのウェブページから代行完了メールの送信処理を行う（Ｓ４０３）。この代行完了メール送信のためのウェブページは、サーバ１のサービス完了通知手段３７により管理者ＰＣ４に提供される。サービス完了通知手段３７は、ここで管理者ＰＣ４によって入力され、サーバ１に送信された内容に、会員用ＨＰにリンクしたＵＲＬおよび依頼主情報を付加して依頼主である会員ＰＣ５へ送信する。
【００５９】
図７は墓参り代行サービスの利用者側からみたフロー図である。
図６のステップＳ４０３においてサービス完了通知手段３７により送信されたサービス完了通知の電子メールは、依頼主である会員ＰＣ５により受信される（Ｓ５０１）。図１９は、このサービス完了通知の電子メールの例を示している。この電子メールには、会員用ＨＰにリンクしたＵＲＬが含まれているので、このＵＲＬを利用して会員ＰＣ５によりサーバ１に接続すれば、サーバ１のリアル映像提供手段３８により、図２０に示すようなウェブカメラ３により撮影された墓参り代行サービス実行後のリアルな映像がユーザのコンピュータに提供される。
【００６０】
なお、この墓参り代行サービスの利用後、所定期間は、会員ＰＣ５により会員ＨＰに接続すると、図２０に示す墓参り代行サービス実行後のリアルな映像がリアル映像提供手段３８により提供される。このフローは、図４に示すステップＳ２０１、Ｓ２０２、Ｓ２０３、Ｓ２０８による。
【００６１】
以上のように、本実施形態における遠隔墓参りシステムでは、遠隔地から墓参りを行うに際し、会員およびゲストは実際に墓まで行く必要が全くなく、インターネットＮを介して墓参り代行サービス提供者に対し、実際の墓参りの代行を依頼することができる。また、墓参り代行サービス提供者による墓参り代行サービスの実行がなされた後、その旨が会員ＰＣ５またはゲストＰＣ６に通知され、会員の墓の墓参り代行サービス実行後のリアルな映像が提供されるので、会員またはゲストはその後すぐに墓参り代行が完了したことを確認することができる。
【００６２】
また、本実施形態における遠隔墓参りシステムでは、決済の完了後、受注した墓参り代行サービスの内容が墓参り代行サービス提供者の管理者ＰＣ４に通知されるので、墓参り代行サービス提供者は、決済完了後、この通知される内容に基づいてすぐさま墓参り代行サービスを実行することができる。これにより、墓参り代行サービスの依頼からこのサービスの実行までの時間を短縮することができ、会員またはゲストはすぐに墓参り代行サービス実行後のリアルな映像を得ることができる。
【００６３】
また、本実施形態における遠隔墓参りシステムでは、決済の完了から墓参り代行サービスの実行までの間、会員の墓の墓参り代行サービス実行後の状態を示すバーチャルな映像が会員ＰＣ５またはゲストＰＣ６に提供されるので、会員またはゲストは、このバーチャルな映像により墓参り代行サービス実行後のイメージを把握することができる。また、会員またはゲストは、このバーチャルな映像により選択した墓参り代行サービスの内容を確認することができるので、墓参り代行サービスの選択間違いや選択漏れが防止できる。
【００６４】
また、本実施形態における遠隔墓参りシステムでは、会員ＰＣ５またはゲストＰＣ６への通知は、予め登録された会員またはゲストの電子メールアドレス宛てに電子メールを送信することにより行われるので、会員またはゲストは自分の都合のいいときにいつでも電子メールを受信して、遠隔墓参りシステムからの通知を受け取ることができる。これにより、会員またはゲストは、インターネットＮを介して実際の墓参りの代行の依頼をした後は、自分の都合のいいときに、決済の完了の通知や墓参り代行サービスを実行した旨の通知等を受け取って、ユーザの墓の墓参り代行サービス実行後の状態を示すバーチャルな映像や墓参りサービス実行後のリアルな映像を確認することができる。
【００６５】
また、本実施形態における遠隔墓参りシステムでは、電子メールが、会員個別のＵＲＬを含むことにより、会員またはゲストは、受信した電子メールに含まれる会員個別のＵＲＬに基づいて、会員の墓の墓参り代行サービス実行後の状態を示すバーチャルな映像や墓参りサービス実行後のリアルな映像を容易に取得することができるので、より早くこれらの映像にアクセスすることが可能である。
【００６６】
また、本実施形態における遠隔墓参りシステムでは、会員ＰＣ５に対して定期的に法要を通知する手段を備えているので、会員ＰＣ５に対して定期的に法要が通知される。そのため、一周忌、三回忌、七回忌、十三回忌、十七回忌、二十三回忌、三十三回忌、三十七回忌、五十回忌等の年忌法要のように、毎年ではなく定期的に行われる法要のタイミングを忘れることなく、会員はこの通知された法要に応じて本発明の遠隔墓参りシステムにより墓参りの代行の依頼を行うことが可能である。
【産業上の利用可能性】
【００６７】
本発明の遠隔墓参りシステムは、墓参り代行サービスを提供するシステムとして有用である。特に、遠隔地から墓参りを行うに際し、ユーザは実際に墓まで行く必要が全くなく、ネットワークを介して実際の墓参りの代行を依頼することができるとともに、その墓参り代行が完了したことを確認可能な遠隔墓参りシステムとして好適である。
【図面の簡単な説明】
【００６８】
【図１】本発明の実施の形態における遠隔墓参りシステムの全体構成図である。
【図２】図１の墓参り代行サービス制御部の詳細な構成を示すブロック図である。
【図３】会員情報登録・更新、ＨＰデータ登録・更新のフロー図である。
【図４】会員ＨＰ閲覧のフロー図である。
【図５】墓参り代行サービスの利用者側からみたフロー図である。
【図６】墓参り代行サービスの提供者側からみたフロー図である。
【図７】墓参り代行サービスの利用者側からみたフロー図である。
【図８】ログインのウェブページの例を示す図である。
【図９】会員用ＨＰの例を示す図である。
【図１０】会員用ＨＰの例を示す図である。
【図１１】会員用ＨＰの例を示す図である。
【図１２】サービス利用のためのログインのウェブページの例を示す図である。
【図１３】選択メニュのウェブページの例を示す図である。
【図１４】確認のウェブページの例を示す図である。
【図１５】決済完了を通知するためのウェブページの例を示す図である。
【図１６】バーチャル映像提供手段により提供されるバーチャル映像の例を示す図である。
【図１７】注文電子メールの例を示す図である。
【図１８】代行完了メール送信のためのウェブページの例を示す図である。
【図１９】サービス完了通知の電子メールの例を示す図である。
【図２０】リアル映像提供手段により提供されるリアル映像の例を示す図である。
【符号の説明】
【００６９】
１  サーバコンピュータ（サーバ）
２  データベース（ＤＢ）
３  ウェブカメラ
４  コンピュータ（管理者ＰＣ）
５  コンピュータ（会員ＰＣ）
６  コンピュータ（ゲストＰＣ）
１１  会員データ管理部
１２  会員登録処理部
１３  会員ＨＰデータ登録・更新処理部
１４  会員・ゲスト認証部
１５  会員ＨＰ表示部
１６  墓参り代行サービス制御部
２１  会員データ記憶部
２２  ゲストデータ記憶部
２３  会員ＨＰデータ記憶部
２４  墓参り代行サービスデータ記憶部
３１  選択メニュ提供手段
３２  受注手段
３３  決済手段
３４  決済完了通知手段
３５  サービス受注通知手段
３６  バーチャル映像提供手段
３７  サービス完了通知手段
３８  リアル映像提供手段
３９  法要通知手段
【図１】
2005284676.tif 000003
【図２】
2005284676.tif 000004
【図３】
2005284676.tif 000005
【図４】
2005284676.tif 000006
【図５】
2005284676.tif 000007
【図６】
2005284676.tif 000008
【図７】
2005284676.tif 000009
【図８】
2005284676.tif 000010
【図９】
2005284676.tif 000011
【図１０】
2005284676.tif 000012
【図１１】
2005284676.tif 000013
【図１２】
2005284676.tif 000014
【図１３】
2005284676.tif 000015
【図１４】
2005284676.tif 000016
【図１５】
2005284676.tif 000017
【図１６】
2005284676.tif 000018
【図１７】
2005284676.tif 000019
【図１８】
2005284676.tif 000020
【図１９】
2005284676.tif 000021
【図２０】
2005284676.tif 000022